(57)【特許請求の範囲】
【請求項１】
パッケージ壁面に設けた開口を開閉する両開き扉を備え、開口四辺および両開き扉の召し合せ部にシール材を設けたパッケージの両開き扉の防水構造において、
外側に位置する他方の開き扉の召し合せ部に、内側に位置する一方の開き扉の召し合せ部に接触する第１シール材を設け、
前記両開き扉上辺との接触箇所で且つ開口四辺に設けた四辺シール材より上方のパッケージ壁面側に、第２シール材を設け、
外側に位置する召し合せ部で且つ他方の開き扉の上辺に、パッケージ内側方向に突出する凸状部を設け、両開き扉を閉じた際に、前記凸状部が前記第２シール材に食込む構成とし、
両開き扉の上面を、召し合せ部から両開き扉を支持するヒンジに向けて低くするとともに、パッケージ外側方向に向けて低くなるように傾斜したことを特徴とするパッケージの両開き扉の防水構造。
【発明の詳細な説明】
【技術分野】
【０００１】
本発明は、例えば、パッケージ収納型エンジン発電機に使用されるパッケージの両開き扉の防水構造に関する。
【背景技術】
【０００２】
従来、例えばコージェネレーションシステムにおいて、ガスエンジンや該ガスエンジンに供給する燃料ガスを圧縮するガス圧縮機等の関連機器をパッケージに内蔵したパッケージ収納型エンジン発電機が使用されている。かかるパッケージ収納型エンジン発電機は、ガスエンジンやガス圧縮機等の関連機器をパッケージに内蔵することにより、防音効果や、屋外に設置した場合に、関連機器を雨水等から保護する効果がある。
【０００３】
また、パッケージには、図１０に示すように、パッケージ１００に内蔵されたガスエンジンおよび発電機等の構成機器のメンテナンスを行うための両開き扉１０１、１０２が適宜設けられている。かかる両開き扉１０１、１０２の先端側同士には、互いに重なり合う召し合せ部１０５、１０６が設けられている。この召し合せ部１０５、１０６からも雨水がパッケージ１００内に浸入するのを防止する必要がある。
【０００４】
そこで、従来では、内側となる一方の開き扉１０１の召し合せ部１０５に帯状のシール材１０７が固定されている。また、外側となる他方の開き扉の召し合せ部１０６は、扉の厚さを薄く形成したもので、前記シール材１０７に外側から当接して密着できるようになっている。
【０００５】
しかしながら、従来の両開き扉１０１、１０２は、シール材１０７が固定された一方の開き扉１０１に対して、他方の開き扉１０２がスムーズに開閉できるように、シール材１０７と他方の開き扉１０２の幅方向の段差面１０２ａとの間に若干の逃し間隙１０８が形成されている。このため、召し合せ部１０５、１０６の上面にパッケージ１００内に連通する開口が形成されることとなる。この結果、両開き扉１０１、１０２上面に降りかかる雨水が、逃し間隙１０８の上面開口を通してパッケージ１００内に浸入する問題があった。
【０００６】
かかる両開き扉の召し合せ部の上面から雨水浸入を防止しようとする防水構造が公知である（例えば、特許文献１参照）。すなわち、特許文献１に記載の両開き扉の防水構造は、図１１（ａ）に示すように、一方の開き扉１０１に上水切り１１０および縦水切り１１１からなる樋が形成されている。他方の開き扉１０２は、一方の開き扉１０１に対向するに対向側板１０２ｂが、一方の開き扉１０１の上水切り１１０に合わせてカットされ、さらに先端部分をコ字状に折り曲げ、扉表面と平行にしたフランジ部１０２ｃを設けたものである。
【０００７】
しかも、図１１（ｂ）に示すように、パッケージ１００の前縁には、上樋１１２が設けられている。そして、両開き扉１０１、１０２を閉じた状態では、一方の開き扉１０１の上水切り１１０は、上樋１１２の上方に位置し、上水切り１１０に降りかかる雨水が、上樋１１２に流れ込むように構成している。
【先行技術文献】
【特許文献】
【０００８】
【特許文献１】特開２００８−２３６８７２号公報
【発明の概要】
【発明が解決しようとする課題】
【０００９】
しかしながら、前記特許文献１に記載の両開き扉の防水構造は、上水切り１１０ａが上樋１１２と離間した状態となっている。このため、上水切り１１０に降りかかった雨水が、上水切り１１０の先端１１０ａから下面側を伝ってパッケージ１００内部に浸入するおそれがある。また、上樋１１２を流れる雨水量が多い場合に、上樋１１２から溢れた雨水が、上水切り１１０ａと上樋１１２との間隙を落下してパッケージ１００内部に浸入するおそれもある。
【００１０】
このため、特許文献１に記載の両開き扉の防水構造は、特に屋外に設置されて風雨に曝されるガスエンジンやガス圧縮機等の関連機器を内蔵するパッケージに対しては採用するのは困難である。
【００１１】
そこで、本発明は、エンジン発電機等の両開きパッケージ扉の召し合せ部の雨水浸入を確実に防止する構造を提供することを課題とする
【課題を解決するための手段】
【００１２】
本発明は、前記課題を解決するためになされたもので、パッケージ壁面に設けた開口を開閉する両開き扉を備え、開口四辺および両開き扉の召し合せ部にシール材を設けたパッケージの両開き扉の防水構造において、外側に位置する他方の開き扉の召し合せ部に、内側に位置する一方の開き扉の召し合せ部に接触する第１シール材を設け、前記両開き扉上辺との接触箇所で且つ開口四辺に設けた四辺シール材より上方のパッケージ壁面側に、第２シール材を設け、外側に位置する召し合せ部で且つ他方の開き扉の上辺に、パッケージ内側方向に突出する凸状部を設け、両開き扉を閉じた際に、前記凸状部が前記第２シール材に食込む構成とし、両開き扉の上面を、召し合せ部から両開き扉を支持するヒンジに向けて低くするとともに、パッケージ外側方向に向けて低くなるように傾斜したことにある。
【００１３】
前記本発明は、両開き扉を閉じた際に、第1シール材によって召し合せ部同士の隙問を最小とすると共に、召し合せ部の上方に位置する他方の開き扉上辺に設けた凸状部が、パッケージに設けられた第２シール部材に食込むために、凸状部により召し合せ部上方に一種の傘を形成することができ、両開きパッケージ扉の召し合せ部の雨水浸入を確実に防止できる。
【００１４】
さらに、両開き扉の上面の傾斜によって水切りを良くしたために、召し合せ部の上部に雨水が滞留することを低減できる。
【発明の効果】
【００１５】
本発明は、第1シール材によって召し合せ部の隙問を最小とすると共に、召し合せ部から所定範囲にわたって扉上辺の凸状部が第２シール部材に食込むために、召し合せ部上方に一種の傘を形成することができ、両開きパッケージ扉の召し合せ部の雨水浸入を確実に防止できる。
【図面の簡単な説明】
【００１６】
【図１】本発明の一実施の形態の両開き扉を示し、（ａ）は図５のＡ―Ａ線矢視の断面側面図、（ｂ）は（ａ）のＢ部の拡大断面図、（ｃ）は図５のＣ―Ｃ線矢視の拡大断面図である。
【図２】同両開き扉の召し合せ部を示し、（ａ）は両開き扉を閉じた状態の断面平面図、（ｂ）は、他方の開き扉を開いた状態の断面平面図である。
【図３】（ａ）は図５のＤ―Ｄ線矢視の断面平面図、（ｂ）は（ａ）のＥ部の拡大断面図である。
【図４】本発明の一実施の形態の一部破断を含む他方の開き扉を示す正面図である。
【図５】同両開き扉の正面図である。
【図６】同他方の開き扉を開いた状態を示し、（ａ）は平面図、（ｂ）は正面図である。
【図７】（ａ）は（ｂ）のＧ部の拡大断面図、（ｂ）は図６（ｂ）のＦ―Ｆ線矢視の断面側面図である。
【図８】パッケージ収納型エンジン発電機の全体を示す斜視図である。
【図９】同正面図である。
【図１０】従来例を示す断面平面図である。
【図１１】従来例を示し、（ａ）は分解斜視図、（ｂ）は要部を示す断面側面図である。
【発明を実施するための形態】
【００１７】
以下、本発明の実施形態について図面を参照しながら説明する。図１〜図９は、本発明をコージェネレーションシステムのパッケージ収納型エンジン発電機に採用した実施の形態を示す。
【００１８】
図８は本実施形態のパッケージ収納型エンジン発電機を示す斜視図、図９はその正面図である。パッケージ収納型エンジン発電機のパッケージ１は、接地される略直方体形状の筺体からなる下側パッケージ１０と、この下側パッケージ１０上面に載置され結合された上側パッケージ２０とから構成されている。
【００１９】
下側パッケージ１０内には、ガスエンジン２、ガス供給ユニット３、発電機（図示省略）、ガスバルブユニット５、および発電機により発電された電力を供給すべく外部機器と接続可能な高圧盤６等の関連機器が設置されている。
【００２０】
ガスエンジン２の近傍には、ガスエンジン２に供給される潤滑油が貯留された潤滑油循環タンク７と、潤滑油をガスエンジン２のオイルパン（図示省略）に補充する潤滑油補給タンク８とが設けられている。
【００２１】
上側パッケージ２０は、中央ダクト２１と、この中央ダクト２１の一端に固定され且つ吸気フード２３を備える吸気ダクト２２と、中央ダクト２１の他端に固定され且つ換気フード２６を備える換気ダクト２５とから一体に構成されたものである。
【００２２】
なお、吸気ダクト２２には、吸気ファン（図示省略）が、下側パッケージ１０内で且つ吸気側には、エアフィルタ９が設けられている。この吸気ファンにより、吸気フード２３から吸引された外気は、エアフィルタ９を通過して、ガスエンジン２に供給されるとともに、ガスエンジン２およびガス供給ユニット３等の関連機器を冷却した後に換気ダクト２５を経由して換気フード２６から排出されるようになっている。なお、２８は、中央ダクト２１に内蔵された消臭触媒である。
【００２３】
前記下側パッケージ１０の壁面（前後面および両側面）には、パッケージ１に内蔵されたガスエンジン２および発電機等の構成部品のメンテナンスを行うための両開き扉１１、１２が適宜設けられている。
【００２４】
この両開き扉１１、１２を図１〜図７に示す。すなわち、下側パッケージ１０の前後面および両側面には、パッケージ内外に連通する開口１０ａが適宜形成されており、開口１０ａを開閉自在に閉塞する両開き扉１１、１２が複数箇所に設けられている。なお、図９に示す符号１４は、単数の開き扉である。
【００２５】
前記開口１０ａ周縁の開口四辺に沿って、矩形状の金属板材からなる枠体１８が設けられている。枠体１８の開口四辺には、ゴム等の弾性部材からなる４辺シール材３０が固定されている。
【００２６】
両開き扉１１、１２の基部は、ヒンジ１３、１３により枠体１８に支持されている。そして、両開き扉１１、１２の自由端側は、召し合せ部１５ａ、１５ｂがそれぞれ設けられている。
【００２７】
一方の開き扉１１の召し合せ部（扉を閉じた際に内側となる部分）１５ａは、一方の開き扉１１の先端に取付けられたＬ字状の帯板材から構成されている。
【００２８】
他方の開き扉１２の召し合せ部１５ｂは、前記一方の開き扉１１の召し合せ部１５ａの外側に位置する。この他方の開き扉１２の召し合せ部１５ｂは、他方の開き扉１２先端部の厚さを薄くすることにより段差面１５ｃを形成した薄肉部からなる。
【００２９】
そして、召し合せ部１５ｂの内面には、段差面１５ｃに密着するゴム等の弾性部材からなる断面矩形状で且つ帯状の第１シール材１７が、他方の開き扉１２の上下方向全長にわたって固定されている。この第１シール材１７の厚さは、図２（ａ）に示すように、
両開き扉１１、１２を閉じた際に、一方の開き扉の１１の召し合せ部１５ａに外側から密着するとともに、弾性変形して圧縮する厚さに設定されている。なお、第１シール材１７は、召し合せ部１５ｂの段差面１５ｃに密着するため、第１シール材１７と段差面１５ｃとの両者間にシール性が確保されている。
【００３０】
また、図１（ｂ）および（ｃ）に示すように、枠体１８の上辺角部１８ａに沿って断面矩形状の弾性材からなる第２シール材３２が、枠体１８の左右方向全長にわたって設けられている。この第２シール材３２は、枠体１８に固定された４辺シール材３０の上面と接触または近接するとともに、第１シール材１７の上部と重なり合っている。
【００３１】
他方の開き扉１２の上辺には、パッケージ内側方向に突出する凸状部３５が設けられている。凸状部３５は、例えば溶接により他方の開き扉１２に固定されている。この凸状部３５は、剛性を有しており、両開き扉１１、１２を閉じた際に、第２シール材３２に外側から食込む構成となっている。
【００３２】
また、凸状部３５の幅長Ｌは、召し合せ部１５ａ、１５ｂの上方（少なくとも第１シール材１７の上方）を覆うことができれば特に限定されるものではない。具体的には、図２（ａ）、（ｂ）および図６（ａ）に示すように、他方の開き扉１２の先端からヒンジ１３側に向けて開き扉１２の幅長の略３分の１に設定されている。凸状部３５は他方の開き扉１２の全幅にわたって設けることも可能であるが、凸状部３５を適宜長さに設定した場合には、召し合せ部１５ｂから所定範囲に留めることになるので、開き扉１２の製造コストの上昇を抑制できる利点がある。
【００３３】
また、凸状部３５が、第２シール材３２に食込む構成とすることにより、パッケージ１０側へ第１シール材１７および召し合せ部１５ａより突出することとなって、凸状部３５が一種の傘の機能を発揮するため、召し合せ部１５ａ、１５ｂの上面を確実に閉塞する効果がある。
【００３４】
なお、両開き扉１１、１２の先端間には、若干の間隙が生じているが、かかる間隙に雨水が浸入しても、召し合せ部１５ａ、１５ｂは、第１シール材１７でシールされているため、雨水がパッケージ１内に浸入することはない。
【００３５】
また、両開き扉１１、１２の上面１１ａ、１２ａの厚さ方向は、図１（ｂ）に示すように、外側に向けて低くなるように、所定角度α１の傾斜面となっている。しかも、両開き扉１１、１２と接触する枠体１８の上辺の左右方向は、図４に示すように召し合せ部中心１８cからヒンジ１３側に向けて低くなるように、所定角度α２の傾斜面１８ｄ、１８ｄとなっている。また、この傾斜面１８ｄ、１８ｄに沿う（対向する）ように、両開き扉１１、１２の上面１１ａ、１２ａも左右方向に向けて低くなる傾斜面となっている。
【００３６】
このように、両開き扉１１、１２の上面１１ａ、１２ａを傾斜させることにより、上面１１ａ、１２ａに降りかかった雨水の水切りが良くなり、召し合せ部１５ａ、１５ｂの上部に雨水が滞留することを低減できる。
【００３７】
次に、以上の構成からなるパッケージ収納型エンジン発電機の両開き扉１１、１２の作用について説明する。
【００３８】
先ず、両開き扉１１、１２を開かれた状態から閉じる際について説明する。一方の開き扉１１を閉じると、その一方の開き扉１１の背面が、枠体１８に設けられた４辺シール材３０に密着するため、一方の開き扉１１の３辺（上下辺およびヒンジ側の縦辺）がシールされる。また、第２シール材３２も一方の開き扉１１の背面に密着する。
【００３９】
さらに、他方の開き扉１２を閉じると、他方の開き扉１２の背面の３辺が４辺シール材３０に密着するのは、前記と同様である。しかも、他方の開き扉１２の召し合せ部１５ｂに設けられた第１シール材１７は、閉じられている一方の開き扉１１の召し合せ部１５ａに外側から密着することとなる。これにより、両方の召し合せ部１５ａ、１５ｂがシールされることとなる。
【００４０】
また、凸状部３５が第２シール材３２に外側から食い込むとともに（図１（ｂ）参照）、凸状部３５が設けられていない部分の開き扉１２の背面は、第２シール材３２に密着する（図１（ｃ）参照）。このように、凸状部３５が第２シール部材に食込むために、召し合せ部１５ａ、１５ｂ上方に一種の傘を形成することができ、両開き扉１１、１２の召し合せ部１５ａ、１５ｂの雨水浸入を確実に防止できる。
【００４１】
かかるパッケージ収納型エンジン発電機が屋外に設置された場合、風雨に曝されることとなる。強風により雨水が両開き扉１１、１２の前面から、両開き扉１１、１２の上面１１ａ、１２ａと、枠体１８内周面（パッケージ１の開口１０周縁）との間隙から浸入しようとする。かかる場合に、この間隙から浸入した雨水は、前記召し合せ部１５ａ、１５ｂのシール構造により遮断され、しかも、両開き扉１１、１２の上面１１ａ、１２ａは、前面側および左右方向に低くなる傾斜面となっているため、遮断された雨水は、両開き扉１１、１２の傾斜面により、両開き扉１１、１２から外部に容易に流れる。このため、水切りが良好となり、召し合せ部１５ａ、１５ｂの上部に雨水が滞留するのを低減できる。
【００４２】
両開き扉１１、１２を開く際には、第１シール材１７を他方の開き扉１２側に設けていることから、閉じられている一方の開き扉１１に対して、他方の開き扉１２を開いても、第１シール材１７が支障となることはない。また、第２シール材３２に食い込んでいた凸状部３５は、一方の開き扉１１の開放動作により、第２シール材３２から容易に離間するため、一方の開き扉１１をスムーズに開くことができる。
【００４３】
本発明は、前記実施の形態に限定されるものではなく、例えば、両開き扉１１、１２の左右方向の幅長は、同一であっても、または相違していてもよい。
【符号の説明】
【００４４】
１          パッケージ
１０        下側パッケージ
１１        一方の開き扉
１２        他方の開き扉
１３        ヒンジ
１５ａ      召し合せ部
１５ｂ      召し合せ部
１７        第１シール材
１８        枠体
２０        上側パッケージ
３０        ４辺シール材
３２        第２シール材
【図１】
0005386402.tif 000002
【図２】
0005386402.tif 000003
【図３】
0005386402.tif 000004
【図４】
0005386402.tif 000005
【図５】
0005386402.tif 000006
【図６】
0005386402.tif 000007
【図７】
0005386402.tif 000008
【図８】
0005386402.tif 000009
【図９】
0005386402.tif 000010
【図１０】
0005386402.tif 000011
【図１１】
0005386402.tif 000012